(57)【要約】【課題】  改良された折り畳み式携帯型通信端末装置の各種操作性を向上させた構造の提供。【解決手段】  操作部６と送話部７とをそなえた第１の本体部５と、表示部と受話部とをそなえた第２の本体部１と、が一端部で開閉可能に連結１２されてなり、折り畳まれた状態で第１の本体部５の送話部７は第２の本体部１の先端部よりも外側に位置しており、第２の本体部１には背面側に拡声用の受話部１６をそなえ、折り畳まれた状態で卓上などに置かれた状態でも通話を可能とする。【選択図】図９
2007006510.tif 000002
【特許請求の範囲】
【請求項１】
操作部ならびに送話部をそなえた第１の本体部と表示部ならびに受話部をそなえた第２の本体部とがそれぞれの一端部で開閉可能に連結され操作部および表示部が対向状態に折り畳まれる折り畳み式の携帯型通信装置であって、
折り畳まれた状態において第１の本体部の先端部側に第２の本体部の先端部と対向する段部が設けられてなり、該段部内から弾性付与されて突出される係合突起が第２の本体部の先端部に設けられた係合穴に嵌まり込み第２の本体部の開放を阻止させるとともに係合突起の突出状態を弾性に抗して段部内に退避させる解放用の押しボタンを第１の本体部の一方の側面ないしは両側面に設けたことを特徴とする携帯型通信装置。
【請求項２】
操作部ならびに送話部をそなえた第１の本体部と表示部ならびに受話部をそなえた第２の本体部とがそれぞれの一端部で開閉可能に連結され操作部および表示部が対向状態に折り畳まれる折り畳み式の携帯型通信装置であって、
折り畳まれた状態において第１の本体部の先端部側に第２の本体部の先端部と対向する段部が設けられてなり、該段部内から弾性付与されて突出される係合突起が第２の本体部の先端部に設けられた係合穴に嵌まり込み第２の本体部の開放を阻止させるとともに係合突起の突出状態を弾性に抗して段部内に退避させる解放用の押しボタンを第１の本体部の側面と段部面とに設けたことを特徴とする携帯型通信装置。
【請求項３】
上記第１の本体部と第２の本体部との連結部には第２の本体部を解放させる解放方向への弾性手段が設けられてなることを特徴とする請求項１または２に記載の携帯型通信装置。
【請求項４】
操作部ならびに送話部をそなえた第１の本体部と表示部ならびに受話部をそなえた第２の本体部とがそれぞれの一端部で開閉可能に連結され操作部および表示部が対向状態に折り畳まれる折り畳み式の携帯型通信装置であって、
第１の本体部と第２の本体部とは連結部を含んで内部構造が金属フレームによって支持構成され、その外側が合成樹脂成型になるケースによって挟着形成されてなることを特徴とする請求項１ないし３いずれかに記載の携帯型通信装置。
【請求項５】
円筒形状のハウジングと、ハウジングの開放側端部を閉塞するとともに回動可能に結合されるキヤップと、ハウジングの内部に収容されて両端部がハウジングとキヤップとに係合されるねじりコイルばねと、ハウジングの内部に充填され合成樹脂からなるダンパ用の液状樹脂と、をそなえてなることを特徴とするヒンジ。
【発明の詳細な説明】
【技術分野】
【０００１】
本発明は、携帯型の移動端末装置で各種の情報表示が行なえる表示パネルをそなえ無線信号による通信が行なえる機能を有する携帯型通信装置および、たとえば、このような携帯型通信装置に使用するに好適なヒンジに関する。
【背景技術】
【０００２】
携帯型の通信端末装置には、種々の情報通信や通話を含むものなど、さまざまな態様のものがあるが、いずれもが、いつでも、どこからでも、所要の相手と無線通信が可能であることから多用されるようになってきている。
【０００３】
本発明は、このような携帯型通信装置にかかり、携帯電話機など、とりわけ情報表示機能を有する装置の改良に関する。
【０００４】
電話機機能を有する携帯型通信装置にあっては、多機能化とともに高密度化による小型化と軽量化とが飛躍的に推進されており、今後も一層の改良発展がなされることは明らかである。
【０００５】
このような携帯型通信装置においては、表面にスイッチなどの操作用ボタンおよび情報表示用の表示パネルを中心部として、その両端部の一端側に送話器としてのマイクロホンと他端側に受話器としてのスピーカとが内部に設けられ、音声の授受伝達が行なわれるように構成されている。
【０００６】
内部には、情報信号処理回路と無線通信用の回路ならびに、電源用の二次電池が着脱可能に結合され、無線通信用のアンテナが感度向上のためには外部へ向けて伸縮可能に設けられる。
【０００７】
しかして、このような携帯型通信装置においては、全体が棒状をなす一体型のものと中間部で開閉式に折り畳むことが可能な折り畳み式のものとがあり、折り畳み式のものは、本体部を２つの部分に分割するとともに、その間を機械的にはヒンジ構成によって回動可能に接続し、電気的にはフレキシブルプリント配線板またはケーブルなどによって接続する構成である。
【０００８】
ヒンジの部分は、回動可能に双方を接続させるのであるが、それとともに装置を使用するに際しての送話部と受話部との位置関係である距離と角度とを、人間工学的に可能な限り最適状態とするような構成が得られるような機能をそなえていることが必要である。
【０００９】
一方、携帯電話機は近年メール機能などによる通信態様が頻繁に行なわれ、卓上などに置かれた状態での使用が急増している。このために置かれた状態での使用に対応可能な各種機能の拡充が必要となってきている。
【００１０】
そこで、本発明はこのような一人一台の時代に対して室内などでの使用を便利にして効率的かつ効果的に行なえるような要求に応じ得るための携帯型通信装置の構造を提供することにある。
【００１１】
携帯型通信装置を携帯電話機として説明すると、従来の折り畳み式携帯電話機は折り畳むと、小型化を優先することから互いの対向する二つの本体部の長さが一致し送話部と受話部とが対向面間に存在することから、当然にこれらを操作するためのスイッチ類も外部には設けられておらず、折り畳んだ状態での通話ができない。
【００１２】
折り畳まれた状態を解放させるについては、折り畳まれた状態を維持する弾性的な閉鎖機構がヒンジ部分の内部に組み込まれているので、折り畳まれて閉じられた状態を開放させるには、閉鎖方向への弾性力に抗して引き起こすしかない。
【００１３】
このようなことから確実なロック手段を設けることができず、したがって開放ボタンによる簡易にして快適な操作性の得られる、いわゆるワンタッチ式の開放手段を採用することができない。
【発明の開示】
【発明が解決しようとする課題】
【００１４】
以上のようなことから、本発明はたとえば、卓上などに置かれた状態で使用されることを考慮し、折り畳み式携帯型通信装置が置かれた状態でも通信ならびに必要に応じて操作し得る構造とすることにより、より操作性を向上させる。
【００１５】
そのためには、折り畳まれた状態での拡声受話機能と、それにともなう操作性の向上、および、折り畳まれた状態を開放させるためにワンタッチ式の開放手段の付与にある。
【００１６】
拡声受話機能には、送話用のマイクロホンと適量の音量を確保し得る受話用のスピーカとが設けられていることが必要であり、しかも、拡声受話機能に切り替えるためのスイッチが折り畳まれた状態で操作し得ることも必要なことである。
【００１７】
ワンタッチ式の開放手段は、従来卓上などに折り畳まれて置かれていた状態で開放状態にするには、その都度装置を持ち上げ両手の操作によって開かせることが必要であったが、このような面倒な操作によらずに置かれた状態で指先のみの操作で容易に解放させることのでき得ることが好ましい。
【００１８】
本発明は、以上のような構成、作用、効果を得ることができる携帯型通信装置の提供を発明の課題とすることにある。
【課題を解決するための手段】
【００１９】
上記、課題を解決するための本発明の構成要旨とするところは、操作部と送話部とをそなえた第１の本体部と、表示部と受話部とをそなえた第２の本体部と、がそれぞれの一端部で開閉可能に連結され、操作部と表示部とが対向状態に折り畳まれる携帯型通信装置であって、
第１の手段は、折り畳まれた状態で第１の本体部の長さは送話部が第２の本体部の先端部よりも外側となる長さで、第２の本体部には表示部の背面側に拡声用の受話部をそなえる構成とした携帯型通信装置である。
【００２０】
この第１の手段によると、折り畳まれ第２の本体部を上側にして卓上などに置くことにより、送話部と拡声用の受話部とが上方に向けられた状態となるから、たとえば他の装置などに対する操作や作業をしながら通話をすることができる。
【００２１】
第２の手段は、第２の本体部には表示部の背面側に拡声用の受話部をそなえ、折り畳まれた状態で第１の本体部の長さは送話部が第２の本体部の先端部よりも外側に位置する長さであり、拡声用の受話部を動作させるスイッチをそなえる構成とした携帯型通信装置である。
【００２２】
この第２の手段によると、折り畳まれ第２の本体部を上側にして卓上などに置くことにより、送話部と拡声用の受話部とが上方に向けられた状態となるから、拡声用の受話部を動作させるスイッチを押して動作状態とし、他の装置などに対する操作や作業をしながら通話し得る。
【００２３】
第３の手段は、折り畳まれた状態で第１の本体部の長さは送話部が第２の本体部の先端部よりも外側に位置する長さで、第２の本体部には表示部の背面側に拡声用の受話部と第２の表示部とをそなえる構成とした携帯型通信装置である。
【００２４】
この第３の手段によると、折り畳まれ第２の本体部を上側として卓上などに置くことにより、送話部、拡声用の受話部、第２の表示部、が上方に向けられた状態となり、第２の表示部に表示される表示を確認し、他の装置などに対する操作や作業をしながら通話し得る。
【００２５】
第４の手段は、折り畳まれた状態において第１の本体部の先端部側に第２の本体部の先端部と対向する段部が設けられてなり、この段部内から弾性付与されて突出される係合突起が第２の本体部の先端部に設けられた係合穴に嵌まり込み第２の本体部の開放を阻止させるとともに係合突起の突出状態を弾性に抗して段部内に退避させる解放用の押しボタンを第１の本体部の一方の側面ないしは両側面に設ける構成とした携帯型通信装置である。      
【００２６】
この第４の手段によると、折り畳まれ第２の本体部を上側にして置くことにより、送話部と拡声用の受話部とが上方に向けられた状態となるから、そのままの状態で通話が可能であり、必要に応じて開放用の押しボタンを片手の指で押すことにより、第２の本体部の折り畳まれたロック状態が解放される。このようなことは携帯時においても携帯型通信装置を取り出した片手の操作のみによって解放させることが可能である。
【００２７】
第５の手段は、折り畳まれた状態において第１の本体部の先端部側に第２の本体部の先端部と対向する段部が設けられてなり、この段部内から弾性付与されて突出される係合突起が第２の本体部の先端部に設けられた係合穴に嵌まり込み第２の本体部の開放を阻止させるとともに係合突起の突出状態を弾性に抗して段部内に退避させる解放用の押しボタンを第１の本体部の側面と段部面とに設けた構成とした携帯型通信装置である。
【００２８】
この第５の手段によると、折り畳まれ第２の本体部を上側にして置くことにより、送話部と拡声用の受話部とが上方に向けられた状態となるから、そのままの状態で通話が可能であり、必要に応じて開放用の押しボタンを片手の指で押すことにより、第２の本体部の折り畳まれたロック状態が解放される。押しボタンは段部面上を選択することによって置かれた状態で押すことが可能なことから好都合である。
【００２９】
第６の手段は、第４の手段と第５の手段に対して、第１の本体部と第２の本体部との連結部には第２の本体部を開放させる方向への弾性手段が設けられた構成とすることにある。
【００３０】
この第６の手段は、開放用の押しボタンの操作によって折り畳まれた第２の本体部のロック状態が解放されることにより、片手操作のみによって第２の本体部はすぐさま所定の開放位置に回動されるから、操作部の操作、表示部の確認、などを行なうことができる。このようなことは携行時において、とくに好適なことである。
【００３１】
第７の手段は、第１の手段ないし第６の手段に対して、第１の本体部と第２の本体部とは連結部を含んで内部構造が金属フレームによって構成され、その外側が合成樹脂成型になるケースによって狭着形成される構成である。
【００３２】
この第７の手段は、金属フレームを軽合金、たとえばＭｇ合金などを選択することにより機械的強度を確保し得るから携帯型通信装置の薄型化に対応し得るし、外側の合成樹脂成型になる枠体には機械的な強度を特には要しないことから軽量化のための限界値までの薄肉化が可能となる。
【００３３】
第８の手段は、円筒形状のハウジングと、ハウジングの開放側端部を閉塞するとともに回動可能に結合されるキヤップと、ハウジングの内部に収容されて両端部がハウジングとキヤップとに係合されるねじりコイルばねと、ハウジングの内部に充填され合成樹脂からなるダンパ用の液状樹脂と、をそなえてなるヒンジである。
【００３４】
この第８の手段は、ハウジングとキヤップとが回動可能に、回動にともなう弾性復元力を蓄勢するためのねじりコイルばねを介して結合され、かつハウジングの内部にこの蓄勢用のねじりコイルばねが収容されているので、外観上は単純な一本の軸形状をなしているものであり、取り付けるべき相手の対の部材に対する回動部分の軸としての組み合わせが可能なものである。
【発明の効果】
【００３５】
以上、詳細に説明のように本発明携帯型通信装置によれば、操作部と送話部とをそなえた第１の本体部と、表示部と受話部とをそなえた第２の本体部と、がそれぞれの一端部で開閉可能に連結され、操作部と表示とが対向状態に折り畳まれる携帯型通信装置において、折り畳まれた状態で第１の本体部は送話部が第２の本体部の先端部よりも外側となる長さで、第２の本体部は表示部の背面側に拡声用の受話部をそなえた構成であるから、折り畳まれ第２の本体部を上側にすることで、送話部と拡声用の受話部とが上方に向けられた状態となり、そのまま通話をすることが可能である。
【００３６】
拡声用の受話部を動作させるスイッチを設けておくことにより、必要に応じてスイッチを押して動作状態とすることにより通話が可能となる。
【００３７】
さらには、第２の本体部の背面側に第２の表示部をもそなえることにより、第２の表示部に表示される内容を確認しての通話が可能である。
【００３８】
折り畳まれた状態において、第１の本体部の先端部側に第２の本体部の先端部と対向する段部を設け、この段部内から弾性付与されて突出される係合突起が第２の本体部の先端部に設けられた係合穴に嵌まり込み第２の本体部の開放を阻止させるとともに、係合突起の突出状態を弾性に抗して段部内に退避させる解放用の押しボタンを第１の本体部の一方の側面、さらには段部面ないしは両側面に設けることで、折り畳んだ状態での通話が可能であり、必要に応じて開放用の押しボタンを片手の指で押し、第２の本体部の折り畳まれたロック状態を解放して開放状態ともなし得る。
【００３９】
第１の本体部と第２の本体部とは連結部を含んで内部構造が金属フレームによって構成することにより機械的強度が確保されるから、外側を覆う合成樹脂製のケースには強度をさして要するものでないので、薄肉化による軽量化が可能となる。
【００４０】
第１の本体部と第２の本体部との連結部に、第２の本体部を開放させる方向への弾性手段を設けることにより、ロック状態を開放させる一連の操作が片手操作のみで行なえる。      
【００４１】
弾性手段としてのヒンジが軸型なことから、きわめて少ないスペースでこと足り、取り付けるべき相手の部分を開閉連結させるための軸体として機能させることから一構成要素部材ともなる。
【００４２】
以上のように本発明によれば、各種携帯型通信装置に適用してその実用上の効果はきわめて顕著なものである。
【発明を実施するための最良の形態】
【００４３】
以下、本発明携帯型通信装置について、構成要旨にもとづいた好適な実施の形態につき、図を参照しながら具体的詳細に説明する。なお、全図を通じて同様箇所には理解を容易とするために便宜上、同一符号を付して示すものとする。
【００４４】
図１は、本発明の折り畳み式携帯型通信端末装置を携帯電話機とし第１の一実施の形態になる開放状態の外観図であって、図（ａ）に正面図、図（ｂ）に側面図、を示し、図２に斜視図が示される。
【００４５】
図において、上方側の第２の本体部１には、上から順に、背面側に内蔵され先端部が突出されて引き出し式に伸縮され得るアンテナ２、正面側の内部にスピーカを内蔵する第１の受話部３、同じく正面側の内部に液晶表示パネルを内蔵する第１の表示部４、を有する  下方側の第１の本体部５には、上方に複数の押しボタンスイッチからなる操作部６、下端部の内部にマイクロホンを内蔵する送話部７、その近傍に押しボタンスイッチ８、下端面に外部回路との接続用コネクタ９、が設けられている。また、背面側の図（ｂ）に二点鎖線で示される領域は着脱可能に取り付けられる二次電池１１が取り付けられる部分である。
【００４６】
第１の本体部５と第２の本体部１それぞれの一端部は開閉可能な連結部１２によって連結されている。連結部１２の内部には、ばね付勢された特殊なヒンジが内蔵されている。      
【００４７】
なお、図（ａ）において、説明の都合上理解を容易とするために、紙面に示されている側を正面、紙面の裏面側を背面、図の前方を上側、図の手前側を下側、図の右側を右側面、左側を左側面、と称する。このことは以降の各実施の形態においても同様とする。
【００４８】
図３は、閉じられた状態の外観図であって、図（ａ）に第２の本体部１の背面が示され、図（ｂ）に側面図、図（ｃ）に上面図、図（ｄ）に下面図、図４に斜視図が示される。      
【００４９】
図に示されるように、第２の本体部１と第１の本体部５との正面側が対向するように連結部１２を介して折り畳まれることにより、第２の本体部１の背面側が見えるわけであるが、第１の本体部５は第２の本体部１の長さよりも長いことから、第１の本体部５の下方側が第２の本体部１に覆われずに送話部７と、押しボタンスイッチ８と、が見えている。      
【００５０】
また、第２の本体部１の背面側には連結部１２側に、内部に液晶表示パネルを内蔵する第２の表示部１５、中央部の内部に大型のスピーカを内蔵する第２の受話部１６、手前側に押しボタンスイッチ１７、が設けられている。
【００５１】
第２の表示部１５は情報ならびに状態表示用のものであり、押しボタンスイッチ１７は内部に設けられている録音用メモリを動作させるための録音ボタンである。送話部７の近くに配置されて見えている押しボタンスイッチ８は第２の受話部１６を動作させるためのものである。
【００５２】
この携帯電話機によれば、押しボタンスイッチ８を操作することにより、第２の受話部１６から十分な音量で聞き取ることができる。したがって、折り畳んだ状態、あるいは通話状態で折り畳み、卓上などに置いた状態として送話部７とによって通話することが可能であり、通話とともに自由な両手での作業や他の装置などの操作をすることができる。
【００５３】
連結部１２は、図４の閉じられた状態から開放方向２０°以下において閉じる方向への付勢力を維持する機能と、図２の開放された状態の相対開き角度１６０°の位置を維持する機能とをそなえているものである。
【００５４】
図４に対応する内部の構成が図５に示される。図５は外部のケースが取り外された状態であって、主要構成は連結部１２を含んで第１の本体部５と第２の本体部１とを構成する枠状のフレーム１８、１９からなり、それぞれに回路部品などが取り付け配線された多層のプリント配線板２１、２２が配置されて回路が構成されている。
【００５５】
第２の本体部１の背面側には、それぞれ第２の液晶表示パネル２５、大型の第２のスピーカ２６、押しボタンスイッチ２７、が配置されており、第１の本体部５の正面側には、マイクロホン２８、押しボタンスイッチ２９、背面側にコネクタ３１、が配置されている。また、外部ケースを取り付けるための貫通孔３２、が設けられている。
【００５６】
図６は、図５の状態から開放された状態が示されるとともに、外部ケースを取り付けることの分離状態が示されている。図６によると、第２の本体部１の上方に第１のスピーカ３５、第１の液晶表示パネル３６、第１の本体部５の面に複数の押しボタン３７がプリント配線板２２に配置されてなる操作部６が示されており、マイクロホン２８、押しボタンスイッチ２９、コネクタ３１、は既述したとおりである。連結部１２の部分には両本体部１、５の回路を接続するためのフレキシブルプリント配線板３８の巻かれた部分が見えている。
【００５７】
第１の本体部５の外部ケースは正面側ケース４１と背面側ケース４２からなり、正面側ケース４１には操作部６の複数の押しボタンスイッチ３７と押しボタンスイッチ２９とを覗かせる孔４３、４４と、マイクロホン２８に連通する孔４５と、が配置形成されている。正面側ケース４１の内部背面側には、ねじ穴を有する突起４６が四箇所に設けられており、上部先端には連結部１２を覆う覆い半体４７が形成されている。
【００５８】
背面側ケース４２には背面側から挿入される結合用のねじ５１を挿入させて正面側ケース４１と結合させるためのねじ挿入用突起５２が四箇所に形成されており、背面側には電池収容部５３と、下端面にコネクタ３１を覗かせる切り欠き５４と、上部先端には連結部１２を覆う覆い半体５５と、が形成されている。切り欠き５４には蓋５６が着脱可能に取り付けられている。
【００５９】
第２の本体部１の外部ケースについても同様に正面側ケース６１と背面側ケース６２とからなり、正面側ケース６１には第１のスピーカ３５に連通する孔６３と、中央部には第１の表示部４の透明窓６４と、下端部には連結部１２を覆う覆い半体６５と、が形成されており、四隅の部分には正面側から挿入される結合用のねじ６６を挿入させて背面側ケース６２と結合させるためのねじ挿入用孔６７が形成されている。
【００６０】
背面側ケース６２には正面側に向けて設けられているねじ穴を有する突起６８、押しボタンスイッチ２７を覗かせる孔６９、第２のスピーカ２６に連通する孔７１、第２の液晶表示パネル２５を覗かせる透明窓７２、連結部１２を覆う覆い半体７３、が形成されており、背面側にはアンテナ２が設けられている。
【００６１】
上記、第１の本体部５を覆う正面側ケース４１、背面側ケース４２、第２の本体部１を覆う正面側ケース６１、背面側ケース６２、はすべて高い機械的な強度と硬度ならびに適宜な弾性とを有する合成樹脂成形品でなる。
【００６２】
以上の構成で、連結線に示されるようにして、それぞれの本体部に正面側ケースと背面側ケースとを組み合わせ、第１の本体部５側には背面側ケース４２の背面側から結合用のねじ５１を挿入して正面側ケース４１の突起４６のねじ穴にねじ込み締めつけることにより結合させる。
【００６３】
同様にして、第２の本体部１側には正面側ケース６１の正面側から結合用のねじ６６を挿入して背面側ケース６２の突起６８のねじ穴にねじ込み締めつけて結合させる。
【００６４】
それぞれの覆い半体４７、５５、６５、７３はそれぞれの凹凸関係により組み合わせられること、ならびに正面側と背面側とから連結部１２を覆うように組み合わせられ、連結部１２の周囲を覆う。
【００６５】
結合用のねじ５１、６６はそれぞれのねじ挿入用突起５２、ねじ挿入用孔６７内に頭部が嵌まり込み沈んだ状態となるから、その孔内に埋め込み栓７５を押し込み外面をケースの表面と同一色の同一面として体裁を整えるとともに、不用意にねじが緩められることを防止するようにしている。
【００６６】
図７は、本発明の折り畳み式携帯型通信端末装置を携帯電話機とし第２の一実施の形態になる開放状態の外観図であって、図（ａ）に正面図、図（ｂ）に側面図、を示し、図８に斜視図が示される。
【００６７】
図において、上方側の第２の本体部１には、上から順に、背面側に内蔵され先端部が突出されて引き出し式に伸縮され得るアンテナ２、正面側に内部にスピーカを内蔵する第１の受話部３、同じく正面側の内部に液晶表示パネルを内蔵する第１の表示部４、とを有する。
【００６８】
下方側の第１の本体部５には、上方に複数の押しボタンスイッチからなる操作部６、下端部の内部にマイクロホンを内蔵する送話部７、その近傍に押しボタンスイッチ８、下端面に外部回路との接続用コネクタ９、が設けられている。また、背面側の図（ｂ）に二点鎖線で示される領域は着脱可能に取り付けられる二次電池１１が取り付けられる部分である。
【００６９】
本実施の形態にあっては、送話部７、押しボタンスイッチ８、が設けられる本体部の部分を、操作部６が設けられている面よりも高い（厚い）段面とした段部８１としている。      
【００７０】
第１の本体部５と第２の本体部１それぞれの一端部は開閉可能な連結部１２によって連結されている。連結部１２の内部には、ばね付勢された特殊なヒンジが内蔵されている。      
【００７１】
図９は、閉じられた状態の外観図であって、図（ａ）に第２の本体部１の背面が示され、図（ｂ）に側面図、図（ｃ）に上面図、図（ｄ）に下面図、図１０に斜視図が示される。
【００７２】
図に示されるように、第２の本体部１と第１の本体部５との正面側が対向するように連結部１２を介して折り畳まれることにより、第２の本体部１の背面側が見えるわけであるが、第１の本体部５は第２の本体部１の長さよりも長いことから、第１の本体部５の下方側の段部８１が第２の本体部１に覆われずに送話部７と、押しボタンスイッチ８と、が見えている。
【００７３】
第２の本体部１の背面側には連結部１２側に、内部に液晶表示パネルを内蔵する第２の表示部１５、中央部の内部に大型のスピーカを内蔵する第２の受話部１６、手前側に押しボタンスイッチ１７、が設けられている。
【００７４】
第２の表示部１５は情報ならびに状態表示用のものであり、押しボタンスイッチ１７は内部に設けられている録音用メモリを動作させるための録音ボタンである。送話部７の近くに配置されて見えている押しボタンスイッチ８は第２の受話部１６を動作させるためのものである。
【００７５】
送話部７、押しボタンスイッチ８、が設けられている段部８１の面は、第２の本体部１の背面先端部と、ほぼ一致して連続するように構成されていることから、外観ならびに操作性が良好なものとなっている。
【００７６】
この携帯電話機によれば、押しボタンスイッチ８を操作することにより、第２の受話部１６から十分な音量で聞き取ることができる。したがって、折り畳んだ状態、あるいは通話状態で折り畳み、卓上などに置いた状態として送話部７とによって通話することが可能であり、通話とともに自由な両手での作業や他の装置などの操作をすることができる。
【００７７】
連結部１２は、図１０の閉じられた状態から開放方向２０°以下において閉じる方向への付勢力を維持する機能と、図８の開放された状態の相対開き角度１６０°の位置を維持する機能とをそなえているものである。
【００７８】
図９の図（ｂ）に対応する側断面図が図１１に示され、図７の図（ｂ）に対応する側断面図が図１２に示され、それぞれ、要部が示されている。主要構成は連結部１２を含んで第１の本体部５と第２の本体部１とを構成する枠状のフレーム１８、１９からなり、それぞれに回路部品などが取り付け配線された多層のプリント配線板２１、２２が配置されて回路が構成されている。
【００７９】
第２の本体部１の背面側には、それぞれ第２の液晶表示パネル２５、大型の第２のスピーカ２６、押しボタンスイッチ２７、が配置されており、第１の本体部５の正面側には、マイクロホン２８、押しボタンスイッチ２９、背面側にコネクタ３１、が配置されている。
【００８０】
図１３は、開放された状態において外部ケースを取り付けることを説明するための分離状態が示されている。図１３によると、第２の本体部１の上方に第１のスピーカ３５、第１の液晶表示パネル３６、第１の本体部５の面に複数の押しボタン３７がプリント配線板２２に配置されてなる操作部６が示されており、マイクロホン２８、押しボタンスイッチ２９、コネクタ３１、は既述したとおりである。連結部１２の部分には両本体部１、５の回路を接続するためのフレキシブルプリント配線板３８の巻かれた部分が見えている。
【００８１】
第１の本体部５の外部ケースは正面側ケース４１と背面側ケース４２からなり、正面側ケース４１には操作部６の複数の押しボタンスイッチ３７と押しボタンスイッチ２９とを覗かせる孔４３、４４と、マイクロホン２８に連通する孔４５と、が配置形成されている。正面側ケース４１の内部背面側には、ねじ穴を有する突起４６が四箇所に設けられており、上部先端には連結部１２を覆う覆い半体４７が形成されている。
【００８２】
背面側ケース４２には背面側から挿入される結合用のねじ５１を挿入させて正面側ケース４１と結合させるためのねじ挿入用突起５２が四箇所に形成されており、背面側には電池収容部５３と、下端面にコネクタ３１を覗かせる切り欠き５４と、上部先端には連結部１２を覆う覆い半体５５と、が形成されている。切り欠き５４には蓋５６が着脱可能に取り付けられている。
【００８３】
第２の本体部１の外部ケースについても同様に正面側ケース６１と背面側ケース６２とからなり、正面側ケース６１には第１のスピーカ３５に連通する孔６３と、中央図には第１の表示部４の透明窓６４と、下端部には連結部１２を覆う覆い半体６５と、が形成されており、四隅の部分には正面側から挿入される結合用のねじ６６を挿入させて背面側ケース６２と結合させるためのねじ挿入用孔６７が形成されている。
【００８４】
背面側ケース６２には正面側に向けて設けられているねじ穴を有する突起６８、押しボタンスイッチ２７を覗かせる孔６９、第２のスピーカ２６に連通する孔７１、第２の液晶表示パネル２５を覗かせる透明窓７２、連結部１２を覆う覆い半体７３、が形成されており、背面側にはアンテナ２が設けられている。
【００８５】
上記、第１の本体部５を覆う正面側ケース４１、背面側ケース４２、第２の本体部１を覆う正面側ケース６１、背面側ケース６２、はすべて高い機械的な強度と硬度ならびに適宜な弾性とを有する合成樹脂成形品でなる。
【００８６】
以上の構成で、連結線に示されるようにして、それぞれの本体部に正面側ケースと背面側ケースとを組み合わせ、第１の本体部５側には背面側ケース４２の背面側から結合用のねじ５１を挿入して正面側ケース４１の突起４６のねじ穴にねじ込み締めつけることにより結合させる。
【００８７】
同様にして、第２の本体部１側には正面側ケース６１の正面側から結合用のねじ６６を挿入して背面側ケース６２の突起６８のねじ穴にねじ込み締めつけて結合させる。
【００８８】
それぞれの覆い半体４７、５５、６５、７３はそれぞれの凹凸関係により組み合わせられること、ならびに正面側と背面側とから連結部１２を覆うように組み合わせられ、連結部１２の周囲を覆う。
【００８９】
結合用のねじ５１、６６はそれぞれのねじ挿入用突起５２、ねじ挿入用孔６７内に頭部が嵌まり込み沈んだ状態となるから、その孔内に埋め込み栓７５を押し込み外面をケースの表面と同一色の同一面として体裁を整えるとともに、不用意にねじが緩められることを防止するようにしている。
【００９０】
図１４は、本発明の折り畳み式携帯型通信端末装置を携帯電話機とし第３の一実施の形態になる開放状態の外観図であって、図（ａ）に正面図、図（ｂ）に側面図、を示し、図１５に斜視図が示される。
【００９１】
図において、上方側の第２の本体部１には、上から順に、背面側に内蔵され先端部が突出されて引き出し式に伸縮され得るアンテナ２、正面側に内部にスピーカを内蔵する第１の受話部３、同じく正面側の内部に液晶表示パネルを内蔵する第１の表示部４、を有する。
【００９２】
下方側の第１の本体部５には、上方に複数の押しボタンスイッチからなる操作部６、下端部の内部にマイクロホンを内蔵する送話部７、その近傍に押しボタンスイッチ８、下端面に外部回路との接続用コネクタ９、が設けられている。また、背面側の図（ｂ）に二点鎖線で示される領域は着脱可能に取り付けられる二次電池１１が取り付けられる部分である。
【００９３】
本実施の形態にあっては、送話部７、押しボタンスイッチ８、が設けられる本体部の部分を、操作部６が設けられている面よりも高い（厚い）段面とした段部８１としている。      
【００９４】
この段部８１の内部には、後述するように第２の本体部１を折り畳み状態に維持する支持手段８５が設けられており、第２の本体部１の上側先端面８６の係合穴８７と係合する係合突起８８の先端部が、段部８１の操作部６側の壁面８９から上側へ向けて突出されている。
【００９５】
また、第２の本体部１を折り畳み状態から解放させる解放用押しボタン９１が段部８１の側面に覗かされている。概略的には、この解放用押しボタン９１を押し込むことによって壁面８９から突出している係合突起８８の先端部は段部８１の内部に引っ込み退避位置となる。このことについては後で詳述する。
【００９６】
第１の本体部５と第２の本体部１それぞれの一端部は開閉可能な連結部１２によって連結されている。連結部１２の内部には、ばね付勢された特殊なヒンジが内蔵されている。これについても後で詳述する。
【００９７】
図１６は、閉じられた状態の外観図であって、図（ａ）に第２の本体部１の背面が示され、図（ｂ）に側面図、図（ｃ）に上面図、図（ｄ）に下面図、図１７に斜視図が示される。
【００９８】
図に示されるように、第２の本体部１と第１の本体部５との正面側が対向するように連結部１２を介して折り畳まれることにより、第２の本体部１の背面側が見えるわけであるが、第１の本体部５は第２の本体部１の長さよりも長いことから、第１の本体部５の下方側の段部８１が第２の本体部１に覆われずに送話部７と、押しボタンスイッチ８と、が見えている。
【００９９】
第２の本体部１の背面側には連結部１２側に、内部に液晶表示パネルを内蔵する第２の表示部１５、中央部の内部に大型のスピーカを内蔵する第２の受話部１６、手前側に押しボタンスイッチ１７、が設けられている。
【０１００】
第２の表示部１５は情報ならびに状態表示用のものであり、押しボタンスイッチ１７は内部に設けられている録音用メモリを動作させるための録音ボタンである。送話部７の近くに配置されて見えている押しボタンスイッチ８は第２の受話部１６を動作させるためのものである。
【０１０１】
送話部７、押しボタンスイッチ８、が設けられている段部８１の面は、第２の本体部１の背面先端部と、ほぼ一致して連続するように構成されていることから、外観ならびに操作性が良好なものとなっている。
【０１０２】
この携帯電話機によれば、押しボタンスイッチ８を操作することにより、第２の受話部１６から十分な音量で聞き取ることができる。したがって、折り畳んだ状態、あるいは通話状態で折り畳み、卓上などに置いた状態として送話部７とによって通話することが可能であり、通話とともに自由な両手での作業や他の装置などの操作をすることができる。
【０１０３】
連結部１２は、図１７の閉じられた状態から開放方向へ向けての付勢力が蓄勢されており、図１４に示される第１の本体部５の面と第２の本体部１の面との相対開き角度が１６０°となる位置に開放維持し得る機能をそなえている。
【０１０４】
図１７に対応する内部の構成が図１８に示される。図１８は外部のケースが取り外された状態であって、主要構成は連結部１２を含んで第１の本体部５と第２の本体部１とを構成する枠状のフレーム１８、１９からなり、それぞれに回路部品などが取り付け配線された多層のプリント配線板２１、２２が配置されて回路が構成されている。
【０１０５】
第２の本体部１の背面側には、それぞれ第２の液晶表示パネル２５、大型の第２のスピーカ２６、押しボタンスイッチ２７、が配置されており、第１の本体部５の正面側には、マイクロホン２８、押しボタンスイッチ２９、背面側にコネクタ３１、が設けられている。また、外部ケースを取り付けるための貫通孔３２が設けられている。
【０１０６】
図１９は、図１４と同様であるが図（ａ）は段部８１の部分を断面としてその正面視内部の要部を示し、図（ｂ）は側断面図に示してある。支持手段８５は、押しボタン９１の内面側から段部８１の中央部分まで延びる板状の腕９２の先端部に係合突起８８が一体形成された可動部９３と、段部８１の内面の押しボタン９１寄りに形成された軸部９４にコイル部が嵌め込まれて係合支持されているねじりコイルばね９５とからなる。
【０１０７】
ねじりコイルばね９５は、コイル部９６と、その両端に延び押しボタン９１の内面に接して押しボタン９１を外面方向へ押し出すようにしている第１の端部９７と、途中が段部８１内面の係合突起９８に接して位置決めされ、さらに先端方向へ延びて可動部９３の係合突起８８の先端を壁面８９の外面方向へ押し出すようにしている第２の端部９９と、からなるものである。
【０１０８】
可動部９３は柔軟にして弾性を有する合成樹脂成型品からなり、ねじりコイルばね９５はばね用のステンレス鋼線などからなる。
【０１０９】
図２０は、図１７の状態から開放された状態が示されるとともに、外部ケースを取り付けることの分離状態が示されている。図２０によると、第２の本体部１の上方に第１のスピーカ３５、第１の液晶表示パネル３６、第１の本体部５の面に複数の押しボタン３７がプリント配線板２２に配置されてなる操作部６が示されており、マイクロホン２８、押しボタンスイッチ２９、コネクタ３１、は既述したとおりである。連結部１２の部分には両本体部１、５の回路を接続するためのフレキシブルプリント配線板３８の巻かれた部分が見えている。
【０１１０】
第１の本体部５の外部ケースは正面側ケース４１と背面側ケース４２からなり、正面側ケース４１には操作部６の複数の押しボタンスイッチ３７と押しボタンスイッチ２９とを覗かせる孔４３、４４と、マイクロホン２８に連通する孔４５と、が配置形成されている。正面側ケース４１の内部背面側には、ねじ穴を有する突起４６が四箇所に設けられており、上部先端には連結部１２を覆う覆い半体４７が形成されている。
【０１１１】
段部８１の内部に支持手段８５である可動部９３とねじりコイルばね９５とが取り付けられるように配置されている。
【０１１２】
背面側ケース４２には背面側から挿入される結合用のねじ５１を挿入させて正面側ケース４１と結合させるためのねじ挿入用突起５２が四箇所に形成されており、背面側には電池収容部５３と、下端面にコネクタ３１を覗かせる切り欠き５４と、上部先端には連結部１２を覆う覆い半体５５と、が形成されている。切り欠き５４には蓋５６が着脱可能に取り付けられている。
【０１１３】
第２の本体部１の外部ケースについても同様に正面側ケース６１と背面側ケース６２とからなり、正面側ケース６１には第１のスピーカ３５に連通する孔６３と、中央部には第１の表示部４の透明窓６４と、下端部には連結部１２を覆う覆い半体６５と、が形成されており、四隅の部分には正面側から挿入される結合用のねじ６６を挿入させて背面側ケース６２と結合させるためのねじ挿入用孔６７が形成されている。
【０１１４】
背面側ケース６２には正面側に向けて設けられているねじ穴を有する突起６８、押しボタンスイッチ２７を覗かせる孔６９、第２のスピーカ２６に連通する孔７１、第２の液晶表示パネル２５を覗かせる透明窓７２、連結部１２を覆う覆い半体７３、が形成されており、背面側にはアンテナ２が設けられている。
【０１１５】
上記、第１の本体部５を覆う正面側ケース４１、背面側ケース４２、第２の本体部１を覆う正面側ケース６１、背面側ケース６２、はすべて高い機械的な強度と硬度ならびに適宜な弾性とを有する合成樹脂成形品でなる。
【０１１６】
以上の構成で、連結線に示されるようにして、それぞれの本体部に正面側ケースと背面側ケースとを組み合わせ、第１の本体部５側には背面側ケース４２の背面側から結合用のねじ５１を挿入して正面側ケース４１の突起４６のねじ穴にねじ込み締めつけることにより結合される。
【０１１７】
この過程において、正面側ケース４１の段部８１内の係合孔に、壁面８９の内部側から可動部９３の係合突起８８を嵌め込むとともに、押しボタン９１をケース側面の嵌合部１０１に嵌め込ませ、軸部９４にねじりコイルばね９５のコイル部９６を嵌め込み、第２の端部９９を係合突起８８の背面側に撓ませた状態として弾性接触させるとともに第１の端部９７を押しボタン９１の背面側にも撓ませた状態として弾性接触させることにより、係合突起８８と押しボタン９１とが外部方向に向けて突出された姿勢を構成させる。
【０１１８】
同様にして、第２の本体部１側には正面側ケース６１の正面側から結合用のねじ６６を挿入して背面側ケース６２の突起６８のねじ穴にねじ込み締めつけて結合させる。
【０１１９】
それぞれの覆い半体４７、５５、６５、７３はそれぞれの凹凸関係により組み合わせられること、ならびに正面側と背面側とから連結部１２を覆うように組み合わせられ、連結部１２の周囲を覆う。
【０１２０】
結合用のねじ５１、６６はそれぞれのねじ挿入用突起５２、ねじ挿入用孔６７内に頭部が嵌まり込み沈んだ状態となるから、その孔内に埋め込み栓７５を押し込み外面をケースの表面と同一色の同一面として体裁を整えるとともに、不用意にねじが緩められることを防止するようにしている。
【０１２１】
図２１は、支持手段８５の構成と作用とを詳細説明するための正面視断面の拡大図であって、図（ａ）に組み立てられた状態が示されている。図（ａ）によると、上述したようにして組み立てられているが、ここで図（ａ）を参照しながら、さらに詳細な構成の説明をすると、ケースの嵌合部１０１に嵌まり込んでいる可動部９３の押しボタン９１の部分の内部側には鍔部１０２があり外部方向への移動が阻止されている。
【０１２２】
この鍔部１０２の内部側には平行する隔壁でなる第１のばね受け部１０３があり、この間にねじりコイルばね９５の第１の端部９７が入り込んでいることにより、ねじりコイルばね９５が軸部９４から外れることなく位置が決められている。
【０１２３】
ねじりコイルばね９５の第２の端部９９側の途中が、係合突起９８に接していることにより、第１の端部９７側が係合突起９８の方向へ撓まされることで押しボタン９１を弾性付勢させている。
【０１２４】
押しボタン９１の内部側からケースの中央部に延びている板状の腕９２の先端部の係合突起８８が、段部８１の壁面８９を貫通するようにして先端部が突出されるが板状の腕９２によって、その突出長さが決められている。
【０１２５】
係合突起８８の先端方向には正面視第１の傾斜面１０４が形成されており、壁面８９の孔１０５には第１の傾斜面１０４に対応する傾斜面１０６が形成されており、両傾斜面どうしが接触することによっても位置決めされる。
【０１２６】
係合突起８８の内部側には平行する隔壁でなる第２のばね受け部１０７があり、この間にねじりコイルばね９５の第２の端部９９が入り込んでいることにより、第２の端部９９が自由に移動することがない。また、第２の端部９９は途中の係合突起９８によって位置決めされるとともに、下方側へ撓まされた弾性復元力によって可動部９３の係合突起８８を突出方向へ弾性付勢させている。
【０１２７】
以上の構成で、この支持手段８５の作用について図（ｂ）を参照して説明すると、押しボタン９１を外部からケースの内部方向へ押し込むことにより、ねじりコイルばね９５の第１の端部９７のばね付勢力に抗して押し込むことができるとともに、板状の腕９２もその方向へ移動される。
【０１２８】
板状の腕９２の先端の係合突起８８は第１の傾斜面１０４とケース側の傾斜面１０６との接触状態で移動されることによって、係合突起８８はねじりコイルばね９５の第２の端部９９のばね付勢力に抗して段部８１の内部へと入り込み先端部が壁面８９から突出しない退避位置となる。このようなことは板状の腕９２が図示されるように彎曲するように弾性変形されることにもよる。
【０１２９】
つまり、ねじりコイルばね９５の第１の端部９７と第２の端部９９とは、そのばね弾性力が一層蓄積されるように変形されることになる。したがって、押しボタン９１の押し込み力を解除することによって図（ａ）の状態に復元されることは、あえて説明するまでもなく容易に理解されようことから説明を省略することとする。
【０１３０】
なお、押しボタン９１は板状の腕９２の彎曲変形によっても傾いたりすることなく、図示省略のガイド部により、その押し込み方向と復帰方向のみに進退するよう姿勢が維持されるようになっている。
【０１３１】
つぎに、この支持手段８５によって第２の本体部１が折り畳まれた状態に支持されることについて、図２２を参照して説明する。図２２の図（ａ）はその構成要部のみが示される側断面図であって、第１の本体部５に対して第２の本体部１が連結部１２を中心にして回動され、その先端部分が接近している状態が示されている。
【０１３２】
第１の本体部５は図２１の図（ａ）で説明のとおりの状態であって、その各部の構成についてのここでの説明は省略するので必要に応じて符号により既述の説明を図とともに参照されたい。なお押しボタン９１については二点鎖線で示される位置にある。
【０１３３】
可動部９３の係合突起８８の先端部分は段部８１の壁面８９から突出しているが、この突出部分には正面側から背面方向へ傾斜された第２の傾斜面１０８が形成されている。第２の本体部１の正面側ケース６１の上側先端面８６には係合穴８７が形成されている。
【０１３４】
第２の本体部１が開放方向への回動弾性力に抗して回動され、第１の本体部５の正面側へさらに接近されることにより、ケース先端面８６の曲面部分と係合突起８８の第２の傾斜面１０８とが接触することとなり、係合突起８８はねじりコイルばね９５の第２の端部９９ならびに板状の腕９２の変形にともなうばね弾性に抗して段部８１内へと押し込まされる。すなわち、退避位置となる。
【０１３５】
第１の本体部５の正面側に第２の本体部１の正面側が接する状態に到ることにより、図（ｂ）に示されるように係合突起８８が第２の本体部１の係合穴８７と一致し、その内部へとばね弾性による付勢力によって進出し、第２の本体部１の開放方向への回動移動が阻止される。つまり、第２の本体部１が折り畳まれた状態に支持される。
【０１３６】
第２の本体部１を開放姿勢にする必要に応じては、押しボタン９１を押し込むことにより図２１の図（ｂ）で説明のような状態となって解除されるから、第２の本体部１は連結部１２にそなわる弾性復元力によって図１４、図１５に示される開放位置まで回動される。
【０１３７】
つぎに、第１の本体部５と第２の本体部１とを回動可能に連結するとともに、折り畳まれた状態を解除することによって連結部１２の開放方向への弾性力によって本体部を相対的に回動移動し得る、ヒンジの好適な一実施の形態について以下図面を参照しながら説明する。
【０１３８】
図２３は、金属製のねじりコイルばね１１５であって、図（ａ）に側断面図、図（ｂ）と図（ｃ）にそれぞれの軸方向から見た端面図が示され、断面が角形のばね用鋼線が間隔巻きとしてその両端部が軸と平行方向へ折り曲げられた端部１１６、１１７に形成されている。断面を角形とした理由は円形断面よりも断面積を大きく得られることから小径なばねにしても、大きなねじり回動力、すなわち復元力が得られることにある。
【０１３９】
図２４は、円筒形のハウジング１１８であって、図（ａ）に側断面図、図（ｂ）に図示左端側の端面図、図（ｃ）に図示右端側の端面図、が示される。右端方向に内部からの円形の凹穴１１９が開口しており、凹穴１１９の左端方向の端部には中心に軸孔１２１と、所定半径位置に軸孔１２１に平行する角孔１２２とが形成されている。
【０１４０】
また、軸孔１２１の形成されている端部の周囲には、軸方向への三角形の山形をなす凸条１２３が円周方向に所定角度ごとに連続して形成（セレーション）されており、凸条１２３の形成されていない、取り付けの際の取り付け位置の基準部となる、基準部分１２４も形成されている。このハウジング１１８は、たとえばアルミニウム合金のダイカスト成型品あるいは、Ｍｇ合金のチクソウモールド法による成型品でなる。
【０１４１】
図２５は、キヤップ１２５であって、図（ａ）に側断面図、図（ｂ）に図示左側の端面図、図（ｃ）に図示右側の端面図、図（ｄ）に平面図、が示される。図示されるように周囲には、円形の本体部１２６の上下対称な方向に突出する位置決めのためのキー１２７と、図示左端面側には外形よりも小径な円形の段付き凸部１２８と、が形成されている。
【０１４２】
中心には軸孔１２９と、右側端面に凹部１３１と、軸孔１２９と所定半径位置に軸孔１２９に平行する角孔１３２とが形成されている。
【０１４３】
円形の本体部１２６の外径は、ハウジング１１８の外径に、段付き凸部１２８の外径は、ハウジング１１８の凹穴１１９の内径に、それぞれ一致するように設定されている。したがって、キー１２７と段付き凸部１２８との対向間は図（ａ）、（ｂ）に示されるような円弧形の溝が形成されている。このキヤップ１２５も、たとえばアルミニウム合金のダイカスト成型品あるいは、Ｍｇ合金のチクソウモールド法による成型品でなる。
【０１４４】
図２６は、断面円形の軸１３３であり、図（ａ）に側面図、図（ｂ）に端面図、が示される。ストレートな軸本体１３４の一端部に大径な鍔部１３５が形成された鋼材からなり、表面には平滑なメッキ処理が施される。あるいはステンレス鋼などからなる。
【０１４５】
図２７は、ヒンジ１３８の組み立て図であり、図（ａ）に側断面図、図（ｂ）に端面図、図（ｃ）に平面図、がそれぞれ示される。まず、図を参照してその組み立て手順について述べると、ハウジング１１８の凹穴１１９の内部にねじりコイルばね１１５を挿入させて先端の端部１１６を角孔１２２に挿入させる。
【０１４６】
つぎに、ハウジング１１８の凹穴１１９の開口端部側に突出しているねじりコイルばね１１５の端部１１７の先端にキヤップ１２５を近づけて角孔１３２に挿入させ、段付き凸部１２８をハウジング１１８の凹穴１１９に嵌め込ませることによって、ハウジング１１８の端部はキヤップ１２５の段付き凸部１２８とキー１２７との間の溝に嵌まり込む。
【０１４７】
キヤップ１２５の中心の軸孔１２９に軸１３３の軸本体１３４を挿入し、そのままハウジング１１８の凹穴１１９内に挿入して凹穴１１９端部の軸孔１２１に貫通させる。軸１３３の鍔部１３５がキヤップ１２５の凹部１３１に嵌まり込んで位置決めされ、軸本体１３４の先端部がハウジング１１８の端部から突出する状態となる。
【０１４８】
この軸本体１３４の突出部に、プッシュナットなどと称されている公知なリング状の板ばね１３９を、そのばね弾性に抗して押し込ませることにより、板ばねの内径が復元力によって軸本体１３４に食い込み、軸１３３は抜け止め保持される。この状態が図２７に示される状態でもある。
【０１４９】
ねじりコイルばね１１５の一端側はハウジングの角孔１２２によってハウジング１１８に対して回転方向位置決めされており、他端側はキヤップの角孔１３２によってキヤップ１２５に対して回転方向位置決めされていることにより、自由に回動し得ない。しかしながら、ハウジング１１８と嵌まり合っているキヤップ１２５は、その軸回りの方向に相対的に回動し得るが、回動にともなってねじりコイルばね１１５は、その両端部で任意方向にねじり回動され得る。
【０１５０】
回動された状態を離すことにより、ねじりコイルばねに蓄勢された復元力で瞬時にねじりコイルばね１１５の自由状態位置、すなわち、ハウジング１１８とキヤップ１２５との位置関係が組み立てられた状態位置に復元される。
【０１５１】
この組み立ての過程で、ハウジング１１８の凹穴１１９の内部に液状の粘性体を充填することにより、粘性体はねじりコイルばね１１５の周囲とハウジング１１８の凹穴１１９内面とに付着し、それらの相対移動にともなう動きを緩和（ダンパ作用）させるので瞬時には復元し得ないようになる。このような緩和作用（時間幅）は粘度を選択することによって最適状態になし得る。実際にヒンジ１３８の組み立てられた図２７の状態はこのような状態である。
【０１５２】
この液状の粘性体は、具体的には新規なアクリル液状樹脂であって、ハウジング１１８とキヤップ１２５との嵌合隙間、および、軸１３３とハウジング１１８およびキヤップ１２５との嵌合隙間、のいずれからも格別なシーリング手段を設けることなく漏出したりすることもないものである。
【０１５３】
従来のダンパ機能を有するヒンジにあっては、粘性体に高粘度なシリコーンオイルなどを適用していたが、このような液質の粘性体に対しては漏出しないように格別なシーリング手段を設けることが必要であった。
【０１５４】
上記本発明になるヒンジ（軸型ヒンジとも称する）１３８を携帯電話機に組み込むことについて、図２８を参照して説明する。図２８は、図１８および図２０に示される枠状のフレーム１８、１９を開放状態とした連結部１２のみを分離状態の断面図に示し、軸型ヒンジ１３８と対向する他方側の軸とが同一軸上に配置して示してある。なお、要部のみが示されておりその他の構成要素は煩雑となることから図示していない。
【０１５５】
第２の本体側のフレーム１８は３箇所の軸孔を有する軸受け１４１、１４２、１４３をそなえ、中間部の軸受け１４２の内面には軸型ヒンジ１３８のセレーション１２３を受け入れ嵌合する逆形の凸条（逆形セレーション）１４４が形成されている。
【０１５６】
第１の本体側のフレーム１９には、両端に軸受け１４５、１４６が設けられており、その間隔は第２の本体側のフレーム１８の両端の軸受け１４１、１４３を丁度嵌まり込ませることができる間隔に設定されている。図示左側の軸受け１４５には端部に軸型ヒンジ１３８のキー１２７が嵌まり合うキー溝１４７が、右側の軸受け１４６には端部に凹部１４８が、形成されている。
【０１５７】
図２９の組み立て状態の断面図をも参照して組み立て手順について説明すると、第１の本体側のフレーム１９の軸受け１４５、１４６間に、第２の本体側のフレーム１８の軸受け１４１、１４３を嵌まり込ませ同一軸上に一致させるとともに、一方の軸受け１４３と１４６との軸受け孔内に軸１４９を嵌合させ、他方の軸受け１４５から１４１、１４２の軸受け孔内に軸型ヒンジ１３８を図示方向に嵌め込ませる。
【０１５８】
この際、第２の本体側のフレーム１８と第１の本体側のフレーム１９との開放角度位置である表面側の角度１６０°に合わせるとともに、軸型ヒンジ１３８の凸条１２３部分に形成されている基準部分１２４を、軸受け１４２に形成されている凸条１４４と図示省略の対応する基準部分の凹溝と一致させること、ならびに、キー１２７とキー溝１４７とを一致させることが肝要である。
【０１５９】
この状態が図２９に示されており、軸型ヒンジ１３８のハウジング１１８は第２の本体部側のフレーム１８と一体に回動し、キヤップ１２５は第１の本体部側のフレーム１９と一体に回動することとなる。
【０１６０】
つまり、両フレーム１８、１９の開放位置では、軸型ヒンジ１３８内のねじりコイルばね１１５は自由状態であるが、折り畳まれる方向への回動に応じて巻き閉められる方向にねじられ、復元力が蓄積される。
【０１６１】
折り畳まれた位置から解放されることによって、ねじりコイルばね１１５の復元力によって両フレーム１８、１９は開放位置に復元される。この際液状粘性体の作用によって急激な回動運動をすることなく、適宜な緩和（ダンピング）された回動速度で行なわれることとなる。
【０１６２】
開放角度は各種の操作ならびに通話に適した１６０°を含む近傍に設定されるが、何らかの都合で１８０°の偏平な姿勢にされた場合、その作用力が除去されるとすぐさま１６０°の位置に復元し得ることは当然のことである。
【０１６３】
図２７に示した状態は、このような位置関係が得られるように設定されているものである。
【０１６４】
図２９において、軸受け１４２と１４３との間には両本体部１、５間を配線接続するフレキシブルプリント配線板３８の途中が巻き回された状態にかけ渡されており、その両端部はそれぞれのプリント配線板（図示省略）にコネクタ接続されている。
【０１６５】
図示しないが、軸型ヒンジ１３８と軸１４９との周囲ならびに各軸受け１４１〜１４３、１４５、１４６の周囲全体は、図２０で説明したように正面側ケース４１、６１と背面側ケース４２、６２とによって両端部を含んで覆われることから、直接外部から見えることはなくなり、軸型ヒンジ１３８、軸１４９が抜け出るようなこともない。
【０１６６】
このように組み立てられ、完成状態とすることにより、図２１、２２で説明の支持手段８５と、軸型ヒンジ１３８との協同作用によって、図１７に示したような装置の安定した折り畳まれた状態姿勢と、図１５に示したような開放位置への回動移動が容易な操作によって円滑に行なわれるものとなる。
【０１６７】
図３０は、本発明の折り畳み式携帯型通信端末装置を携帯電話機とし第４の一実施の形態になる開放状態の外観図であって、図（ａ）に正面図、図（ｂ）に側面図、を示し、図３１に斜視図が示される。
【０１６８】
図において、上方側の第２の本体部１には、上から順に、背面側に内蔵され先端部が突出されて引き出し式に伸縮され得るアンテナ２、正面側に内部にスピーカを内蔵する第１の受話部３、同じく正面側の内部に液晶表示パネルを内蔵する第１の表示部４、を有する。
【０１６９】
下方側の第１の本体部５には、上方に複数の押しボタンスイッチからなる操作部６、下端部の内部にマイクロホンを内蔵する送話部７、その近傍に押しボタンスイッチ８、下端部に外部回路との接続用コネクタ９、が設けられている。また、背面側の図（ｂ）に二点鎖線で示される領域は着脱可能に取り付けられる二次電池１１が取り付けられる部分である。
【０１７０】
本実施の形態にあっては、送話部７、押しボタンスイッチ８、が設けられる本体部の部分を、操作部６が設けられている面よりも高い（厚い）段面とした段部８１としている。      
【０１７１】
この段部８１の内部には、後述するように第２の本体部１を折り畳み状態に維持する支持手段１５１が設けられており、第２の本体部１の上側先端面８６の係合穴８７と係合する係合突起１５２の先端部が、段部８１の操作部６側の壁面８９から上側へ向けて突出されている。
【０１７２】
また、第２の本体部１を折り畳み状態から解放させる第１の解放用押しボタン１５３と第２の解放用押しボタン１５４とが段部８１の側面と正面に覗かされている。概略的には、この第１、第２の解放用押しボタン１５３または１５４のいずれかを押し込むことによって、壁面８９から突出している係合突起１５２の先端部は段部８１の内部に引っ込み退避位置となる。このことについては後で詳述する。
【０１７３】
第１の本体部５と第２の本体部１それぞれの一端部は開閉可能な連結部１２によって連結されている。連結部１２の内部には図２３ないし図２９で説明した軸型ヒンジ１３８が内蔵されている。
【０１７４】
図３２は、閉じられた状態の外観図であって、図（ａ）に第２の本体部１の背面が示され、図（ｂ）に側面図、図（ｃ）に上面図、図（ｄ）に下面図、図３３に斜視図が示される。
【０１７５】
図に示されるように、第２の本体部１と第１の本体部５との正面側が対向するように連結部１２を介して折り畳まれることにより、第２の本体部１の背面側が見えるわけであるが、第１の本体部５は第２の本体部１の長さよりも長いことから、第１の本体部５の下方側の段部８１が第２の本体部１に覆われずに送話部７と、押しボタンスイッチ８と、第２の解放用押しボタン１５４と、が見えている。
【０１７６】
第２の本体部１の背面側には連結部１２側に、押しボタンスイッチ１７、中央部の内部に大型のスピーカを内蔵する第２の受話部１６、手前側の内部に液晶表示パネルを内蔵する第２の表示部１５、が設けられている。
【０１７７】
第２の表示部１５は情報ならびに状態表示用のものであり、押しボタンスイッチ１７は内部に設けられている録音用メモリを動作させるための録音ボタンである。送話部７の近くに配置されて見えている押しボタンスイッチ８は第２の受話部１６を動作させるためのものである。
【０１７８】
送話部７、押しボタンスイッチ８、第２の解放用押しボタン１５４、が設けられている段部８１の面は、第２の本体部１の背面先端部と、ほぼ一致して連続するように構成されていることから、外観ならびに操作性が良好なものとなっている。
【０１７９】
この携帯電話機によれば、押しボタンスイッチ８を操作することにより、第２の受話部１６から十分な音量で聞き取ることができる。したがって、折り畳んだ状態、あるいは通話状態で折り畳み、卓上などに置いた状態として送話部７とによって通話することが可能であり、通話とともに自由な両手での作業や他の装置などの操作をすることができる。
【０１８０】
連結部１２は、図３３の閉じられた状態から開放方向へ向けての付勢力が、既述したように蓄勢されており、図３０に示される第１の本体部５の面と第２の本体部１の面との相対開き角度が１６０°となる位置に開放維持し得る機能をそなえている。
【０１８１】
図３４は、図３０と同様であるが図（ａ）は段部８１の部分を断面としてその正面視内部の要部を示し、図（ｂ）は側断面図に示してある。支持手段１５１は、第１の解放用押しボタン１５３の内面側から段部８１の中央部分まで延びる板状の腕１５５の先端部に係合突起１５２が一体形成された可動部１５６と、段部８１の内面の第１の解放用押しボタン寄りに形成された軸部９４にコイル部が嵌め込まれて係合支持されているねじりコイルばね９５と、からなる。
【０１８２】
ねじりコイルばね９５は、コイル部９６と、その両端に延び第１の解放用押しボタン１５３の内面に接して押しボタンを外面方向へ押し出すようにしている第１の端部９７と、途中が段部８１内面の係合突起９８に接して位置決めされ、さらに先端方向へ延びて可動部１５６の係合突起１５２の先端を壁面８９の外面方向へ押し出すようにしている第２の端部９９と、からなるものである。
【０１８３】
可動部１５６は柔軟にして弾性を有する合成樹脂成型品からなり、ねじりコイルばね９５はばね用ステンレス鋼線などからなる。
【０１８４】
この携帯電話機の構成は、フレーム１８、１９に正面側ケース４１と背面側ケース４２、ならびに正面側ケース６１と背面側ケース６２、が組み合わせられて組み立てられるのであるが、図２０を参照して説明と同様であり理解されようことから、ここでの説明はあえて省略することとする。
【０１８５】
図３５は、支持手段１５１の構成と作用とを詳細説明するための正面視断面の拡大図であって、図（ａ）に組み立てられた状態が示されている。図（ａ）によると、上述したようにして組み立てられているが、ここで図（ａ）を参照しながら、さらに詳細な構成の説明をすると、ケースの嵌合部１０１に嵌まり込んでいる可動部１５６の第１の解放用押しボタン１５３の部分の内部側には鍔部１５７があり外部方向への移動が阻止されている。      
【０１８６】
この鍔部１５７の内部側には平行する隔壁でなる第１のばね受け部１５８があり、この間にねじりコイルばね９５の第１の端部９７が入り込んでいることにより、ねじりコイルばね９５が軸部９４から外れることなく位置が決められている。
【０１８７】
ねじりコイルばね９５の第２の端部９９側の途中が、係合突起９８に接していることにより、第１の端部９７側が係合突起９８の方向へ撓まされることで第１の解放用押しボタン１５３を弾性付勢させている。
【０１８８】
第１の解放用押しボタン１５３の内部側からケースの中央部に延びている板状の腕１５５の先端の係合突起１５２が、段部８１の壁面８９を貫通するようにして先端部が突出されるが板状の腕１５５によって、その突出長さが決められている。
【０１８９】
係合突起１５２の先端方向には正面視第１の傾斜面１５９が形成されており、壁面８９の孔１０５には第１の傾斜面１５９に対応する傾斜面１０６が形成されており、両傾斜面どうしが接触することによっても位置決めされる。
【０１９０】
係合突起１５２の内部側には平行する隔壁でなる第２のばね受け部１６１があり、この間にねじりコイルばね９５の第２の端部９９が入り込んでいることにより、第２の端部９９が自由に移動することがない。また、第２の端部９９は途中の係合突起９８によって位置決めされるとともに、下方側へ撓まされた弾性復元力によって可動部１５６の係合突起１５２を突出方向へ弾性付勢させている。
【０１９１】
ケースの壁面８９の内面側、可動部１５６の板状の腕１５５との間に第２の解放用押しボタン１５４を収容する正面視方形な押しボタン収容凹所１６５が段部８１の正面側に開口するように形成されており、ここに第２の解放用押しボタン１５４が嵌め込まれ凹所１６５の底面との間に介在される圧縮コイルばね１６６によって正面側に付勢されている。      
【０１９２】
第２の解放用押しボタン１５４は、図３６に示されるように押しボタン本体部１６７と２本の脚部１６８と脚部先端の鉤状の突起１６９とからなり、脚部１６８が押しボタン収容凹所１６５の底面二箇所に形成された貫通孔内を貫通され、鉤状の突起１６９によって抜け出ないように係止されているが、押し込む方向には移動可能であり、押し込まれた状態からは圧縮コイルばね１６６の復元力で押し戻される。
【０１９３】
図３７の図（ｂ）の断面図に示されるように、可動部１５６の係合突起１５２には、押しボタン収容凹所１６５の部分に入り込むようにして第２の傾斜面１７１が設けられており、ここに第２の解放用押しボタン１５４の押しボタン本体部１６７の端部１７２が接触するような位置関係に設定されている。なお、図（ｂ）は図３５の図（ａ）のＡ−Ａ断面図である。
【０１９４】
以上の構成で、この支持手段１５１の第１の解放用押しボタン１５３に関連した作用について図３５の図（ｂ）を参照して説明すると、第１の解放用押しボタン１５３を外部からケースの内部方向へ押し込むことにより、ねじりコイルばね９５の第１の端部９７のばね付勢力に抗して押し込むことができるとともに、板状の腕１５５もその方向へ移動される。
【０１９５】
板状の腕１５５先端の係合突起１５２は第１の傾斜面１５９とケース側の傾斜面１０６との接触状態で移動されることによって、係合突起１５２はねじりコイルばね９５の第２の端部９９のばね付勢力に抗して段部８１の内部へと入り込み先端部が壁面８９から突出しない退避位置となる。このようなことは板状の腕１５５が図示されるように彎曲するように弾性変形されることにもよる。
【０１９６】
つまり、ねじりコイルばね９５の第１の端部９７と第２の端部９９とは、そのばね弾性力が一層蓄積されるように変形されることになる。したがって、第１の解放用押しボタン１５３の押し込み力を解除することによって図（ａ）の状態に復元されることとなる。
【０１９７】
なお、第１の解放用押しボタン１５３は板状の腕１５５の彎曲変形によっても傾いたりすることなく、図示省略のガイド部により、その押し込み方向と復帰方向のみに進退するよう姿勢が維持されるようになっている。
【０１９８】
つぎに、第２の解放用押しボタン１５４に関連した作用について図３７の図（ａ）と図（ａ）のＡ−Ａ断面図の図（ｃ）とを参照して説明すると、第２の解放用押しボタン１５４を段部８１の正面側から段部８１の内部方向へ押し込むことにより、圧縮コイルばね１６６をそのばね弾性に抗して押し込むことができるとともに、押しボタン本体部１６７の端部１７２に接している係合突起１５２部分の第２の傾斜面１７１を圧接することになり、図（ｃ）ならびに図（ａ）に示されるように係合突起１５２をねじりコイルばね９５の第２の端部９９のばね弾性に抗して段部８１内へと入り込ませて先端部が壁面８９から突出しない退避位置となる。このようなことは板状の腕１５５が図示されるように彎曲変形するように弾性変形されることにもよる。
【０１９９】
同様に、第２の解放用押しボタン１５４の押し込み力を解除することによって、圧縮コイルばね１６６、ねじりコイルばね９５の第２の端部９９、板状の腕１５５、の弾性復元力によって図３５の図（ａ）ならびに図３７の図（ｂ）に示される状態に復帰されることになる。
【０２００】
つぎに、この支持手段１５１によって第２の本体部１が折り畳まれた状態に支持されることについて、図３８を参照して説明する。図３８の図（ａ）はその構成要部のみが示される側断面図であって、第１の本体部５に対して第２の本体部１が連結部１２を中心にして回動され、その先端部分が接近している状態が示されている。
【０２０１】
第１の本体部５は図３５の図（ａ）で説明のとおりの状態であって、その各部の構成についてのここでの説明は省略するので必要に応じて符号により既述の説明を図とともに参照されたい。なお、第１の解放用押しボタン１５３については二点鎖線で示される位置にある。
【０２０２】
可動部１５６の係合突起１５２の先端部分は段部８１の壁面８９から突出しているが、この突出部分には正面側から背面方向へ傾斜された第３の傾斜面１７３が形成されている。第２の本体部１の正面側ケース６１の上側先端面８６には係合穴８７が形成されている。
【０２０３】
第２の本体部１が開放方向への回動弾性力に抗して回動され、第１の本体部５の正面側へさらに接近されることにより、ケース先端面８６の曲面部分と係合突起１５２の第３の傾斜面１７３とが接触することとなり、係合突起１５２はねじりコイルばね９５の第２の端部９９ならびに板状の腕１５５の変形にともなうばね弾性に抗して段部８１内へと押し込まれる。すなわち、退避位置となる。
【０２０４】
第１の本体部５の正面側に第２の本体部１の正面側が接する状態に到ることにより、図（ｂ）に示されるように係合突起１５２が第２の本体部１の係合穴８７と一致し、その内部へとばね弾性による付勢力によって進出し、第２の本体部１の開放方向への回動移動が阻止される。つまり、第２の本体部１が折り畳まれた状態に支持される。
【０２０５】
第２の本体部１を開放姿勢にする必要に応じては、第１の解放用押しボタン１５３または第２の解放用押しボタン１５４の何れかを選択して押し込むことにより、図３５の図（ｂ）または図３７の図（ａ）で説明のような状態となって解除されるから、第２の本体部１は連結部１２の軸型ヒンジ１３８の弾性復元力によって図３０、図３１に示される開放位置まで回動される。
【０２０６】
図３９は、本発明の折り畳み式携帯型通信端末装置を携帯電話機とした第５の一実施の形態になる全体図を図示省略して要部を示す拡大図であり、前実施の形態と同様部分を示し、たとえば図３０ないし図３３における第１の本体部５の段部８１の箇所の、正面図を図（ａ）に、その図示右側面を図（ｂ）に、図（ａ）の左側面を図（ｃ）に、それぞれ示してある。したがって、図示されていない全体構成は図３０ないし図３３と、その説明と同様であるので既述の説明とともに参照されたい。
【０２０７】
ただし、本実施の形態にあっては、後述するように段部８１の内部には第２の本体部１を折り畳み状態に維持する支持手段１８１が設けられており、第２の本体部１の上側先端面８６の係合穴８７と係合する係合突起１８２の先端部が、段部８１から上側へ向けて突出されている。
【０２０８】
第２の本体部１を折り畳み状態から解放させる第１の解放用押しボタン１８３と第２の解放用押しボタン１８４とが段部８１の図示右側面と左側面に覗かされている。概略的には、この第１の解放用押しボタン１８３または第２の解放用押しボタン１８４のいずれかを押し込むことによって、壁面８９から突出している係合突起１８２の先端部は段部８１の内部に引っ込み退避位置となる。このことについては後で詳述する。
【０２０９】
第１の本体部５と第２の本体部１それぞれの一端部は開閉可能な連結部１２によって連結されており、連結部１２の内部には図２３ないし図２９で説明した軸型ヒンジ１３８が内蔵されている。
【０２１０】
段部８１の正面にはマイクロホン２８を内蔵する送話部７と押しボタンスイッチ８とが設けられており、この押しボタンスイッチ８は第２の受話部１６を動作させるためのものである。
【０２１１】
図４０は、図３９と同様であって段部８１の表面のみを剥離状態に除去断面としてその正面視内部の要部を示してある。支持手段１８１の一方の組みは、第１の解放用押しボタン１８３の内面側から段部８１の中央部分まで延びる第１の板状の腕１８５の先端部に係合突起１８２が一体形成された第１の可動部１８６と、段部８１の内面の第１の解放用押しボタン１８３寄りに形成された軸部９４にコイル部が嵌め込まれて係合支持されているねじりコイルばね９５と、からなる。
【０２１２】
ねじりコイルばね９５は、コイル部９６と、その両端に延び第１の解放用押しボタン１８３の内面に接して押しボタンを外面方向へ押し出すようにしている第１の端部９７と、途中が段部内面の係合突起９８に接して位置決めされ、さらに先端方向へ延びて第１の可動部１８６の係合突起１８２の先端を壁面８９の外面方向へ押し出すようにしている第２の端部９９と、からなる。第１の可動部１８６は柔軟にして弾性を有する合成樹脂成型品からなり、ねじりコイルばね９５はばね用ステンレス鋼線などからなる。
【０２１３】
支持手段１８１の他方の組みは、第２の解放用押しボタン１８４内面側から段部８１の中央部まで延びる第２の板状の腕１８７の先端部に摺動部１８８が一体形成された第２の可動部１８９と、段部８１の内面の第２の解放用押しボタン１８４寄りに形成された軸部１９１にコイル部が嵌め込まれて支持されているねじりコイルばね１９２と、からなる。      
【０２１４】
ねじりコイルばね１９２は、コイル部１９３と、その両端に延び第２の解放用押しボタン１８４の内面に接して押しボタンを外面方向へ押し出すようにしている第１の端部１９４と、押しボタンスイッチ８を囲んでいる環状壁面１９５に接している第２の端部１９６と、からなる。この第２の可動部１８９も柔軟にして弾性を有する合成樹脂成型品からなり、ねじりコイルばね１９２もばね用ステンレス鋼線などからなる。
【０２１５】
図４１は、図４０が正面側から見た断面図であるのに対して、説明の理解を容易とするために内面側から見た図である。以降の説明は、この内面側から見た図によって構成ならびに作用説明をすることとする。
【０２１６】
図４１の図（ａ）は、第１、第２の可動部１８６、１８９のみを離間分離状態に示してあり、図４０とは相互の位置が入れ代わっていることと、紙面上での前後関係も同様なことに留意されたい。すなわち、紙面の表面側が背面、紙面の裏面側が正面、である。また、図４２の図（ａ）に斜視図が示されるが、この斜視図においては両押しボタン１８３、１８４の部分が図示省略して示されている。
【０２１７】
第１の可動部１８６の係合突起１８２は、背面視二段構成であって、大きな第１段の部分に上向きの第１の傾斜面２０１と、小さな第２段の部分に第１の傾斜面２０１と平行するように上向きの第２の傾斜面２０２と、を有してなる。また、第１段の部分の正面側には上向きの第３の傾斜面２０３が形成されており、下方端部には、ねじりコイルばね９５の第２の端部９９を受け入れるばね受け部２０４が設けられている。
【０２１８】
第２の可動部１８９の摺動部１８８は背面視楔状であり、第２の板状の腕１８７と平行する摺動面２０５と、係合突起１８２の第２の傾斜面２０２に対応する傾斜面２０６と、が形成されている。
【０２１９】
図４１の図（ｂ）に示されるように、支持手段１８１が第１の本体部５の段部８１内に組み立てられた状態では、係合突起１８２の先端部分は壁面８９の孔１０５から上方向に向けて突出され、第１の傾斜面２０１は孔１０５の傾斜面１０６に接してその突出方向位置が決められている。
【０２２０】
第２の解放用押しボタン１８４側の摺動部１８８の摺動面２０５は、段部８１の壁面８９の内面に形成された垂直面２０７に接するとともに、傾斜面２０６が係合突起１８２の第２の傾斜面２０２と接していることによっても位置決めされている。
【０２２１】
ねじりコイルばね９５の第２の端部９９が、弾性に抗して変形され復元力が蓄勢された状態でばね受け部２０４に嵌め込まれることによっても、その復元力で係合突起１８２が突出方向へ付勢されるとともに、第２の傾斜面２０２、傾斜面２０６を介して摺動部１８８の摺動面２０５が垂直面２０７に圧接される。
【０２２２】
以上のようなことについて、垂直面２０７が示されていないものの、図４１の図（ａ）に対応した状態が図４２の図（ｂ）の斜視図に示されている。
【０２２３】
図４１の図（ｂ）において、符号の２１１は第１の解放用押しボタン１８３ならびに、第１の板状の腕１８５が傾いたりすることのないように支持する案内部であり、符号の２１２は同様に第２の解放用押しボタン１８４ならびに、第２の板状の腕１８７が傾いたりしないように支持する案内部である。符号の２１３は係合突起１８２と摺動部１８８を背面側から支持する支持部材である。
【０２２４】
図４３の図（ａ）は、図４０の矢視Ａ−Ａ断面が示され、図（ｂ）は、図４０の矢視Ｂ−Ｂ断面が示されており、基本的には既述した前実施の形態と同様な構成である。
【０２２５】
以上の構成において、支持手段の作用について説明すると、図４４の図（ａ）に示されるように、第１の解放用押しボタン１８３をケースの外部から図示右方向へ押し込むことにより、ねじりコイルばね９５の第１の端部９７のばね付勢力に抗して押し込むことができるとともに、係合突起１８２もその方向へ移動される。
【０２２６】
この状態について、図４５の図（ａ）の斜視図をも参照して説明すると、係合突起１８２は第１の傾斜面２０１とケース側の傾斜面１０６との接触状態で移動されることによって、係合突起１８２はねじりコイルばね９５の第２の端部９９のばね付勢力に抗して段部８１の内部へと入り込み先端部が壁面８９から突出しない退避位置となる。
【０２２７】
このようなことは第１の板状の腕１８５が図示されるように彎曲するように弾性変形され、かつ第２の傾斜面２０２が第２の解放用押しボタン１８４側の摺動部１８８の傾斜面２０６と摺動するような関係で移動し得ることにもよる。
【０２２８】
ねじりコイルばね９５の第１の端部９７と第２の端部９９とは、そのばね弾性力が一層蓄積されるように変形されることとなる。したがって、第２の解放用押しボタン１８３の押し込み力を解除することによって図４１の図（ｂ）の状態に復元されることとなる。
【０２２９】
つぎに、第２の解放用押しボタン１８４に関連した作用について説明すると、図４４の図（ｂ）に示されるように、第２の解放用押しボタン１８４をケースの外部から図示左方向へ押し込むことにより、ねじりコイルばね１９２の第１の端部１９４のばね付勢力に抗して押し込むことができるとともに、摺動部１８８もその方向へ移動される。
【０２３０】
この状態について、図４５の図（ｂ）の斜視図をも参照して説明すると、摺動部１８８の摺動面２０５は、ケースの垂直面２０７に接した状態で移動することから傾斜面２０６接している係合突起１８２の第２の傾斜面２０２を下方向へ押しさげるように接触移動させることとなる。このようなことは、第１の板状の腕１８５が図示されるように彎曲されるとともに、ねじりコイルばね９５の第２の端部９９をそのばね弾性に抗して押しさげることで可能となる。その結果、係合突起１８２がケースの段部８１の内部へと入り込み先端部が壁面８９から突出しない退避位置となる。
【０２３１】
第２の解放用押しボタン１８４の押し込み力を解除させることによって、ねじりコイルばね１９２の弾性復元力で押しボタンは図４１の図（ｂ）に示される状態に復帰され、第１の解放用押しボタン１８３側の係合突起１８２はねじりコイルばね９５の第２の端部９９と第１の板状の腕１８５との弾性復元力によって図４１の図（ｂ）に示される状態に復帰される。
【０２３２】
以上のことから、この支持手段１８１によって第２の本体部１が折り畳まれた状態に支持されることについては、図４３の図（ａ）に示される状態で図３８に示されるように第２の本体部１が連結部１２を中心にして回動され、その先端部が係合突起１８２の第３の傾斜面２０３と接触することにより、係合突起１８２はねじりコイルばね９５の第２の端部９９ならびに第１の板状の腕１８５の変形にともなうばね弾性に抗して段部８１内へと押し込まれる。すなわち、退避位置となる。
【０２３３】
第１の本体部５の正面側に第２の本体部１の正面側が接する状態に到ることにより、係合突起１８２が第２の本体部１の係合穴８７と一致し、その内部へとばね弾性による付勢力によって進出し、第２の本体部１の開放方向への回動移動が阻止され、第２の本体部１が折り畳まれた状態に支持される。
【０２３４】
第２の本体部１を開放姿勢にする必要に応じては、第１の解放用押しボタン１８３または第２の解放用押しボタン１８４の何れかを選択して押し込むことにより、図４４の図（ａ）または図４４の図（ｂ）で説明のような状態となって解除されるから、第２の本体部１は連結部１２の軸型ヒンジ１３８の弾性復元力によって開放位置まで回動される。
【０２３５】
本発明は、以上説明の各実施の形態に特定されるものではなく、それぞれの実施の形態の構成要件を任意に組み合わせ実施可能なものであることは、いうまでもないことである。
【０２３６】
軸型ヒンジにおいても、実施の形態に限定されるものではなく、キヤップと軸とを別体とすること、キーではなく凸条とすること、さらにはセレーションではなく他の結合手段とすること、なども含まれることである。
【０２３７】
（付記１）  操作部ならびに送話部をそなえた第１の本体部と表示部ならびに受話部をそなえた第２の本体部とがそれぞれの一端部で開閉可能に連結され操作部および表示部が対向状態に折り畳まれる折り畳み式の携帯型通信装置であって、
折り畳まれた状態で第１の本体部の長さは送話部が第２の本体部の先端部よりも外側に位置する長さであり、第２の本体部には表示部の背面側に拡声用の受話部をそなえてなることを特徴とする携帯型通信装置。
【０２３８】
（付記２）  操作部ならびに送話部をそなえた第１の本体部と表示部ならびに受話部をそなえた第２の本体部とがそれぞれの一端部で開閉可能に連結され操作部および表示部が対向状態に折り畳まれる折り畳み式の携帯型通信装置であって、
第２の本体部には表示部の背面側に拡声用の受話部をそなえ、折り畳まれた状態で第１の本体部の長さは送話部が第２の本体部の先端部よりも外側に位置する長さであり、上記拡声用の受話部を動作させるスイッチをそなえてなることを特徴とする携帯型通信装置。      
【０２３９】
（付記３）  操作部ならびに送話部をそなえた第１の本体部と表示部ならびに受話部をそなえた第２の本体部とがそれぞれの一端部で開閉可能に連結され操作部および表示部が対向状態に折り畳まれる折り畳み式の携帯型通信装置であって、
折り畳まれた状態で第１の本体部の長さは送話部が第２の本体部の先端部よりも外側に位置する長さであり、第２の本体部には表示部の背面側に拡声用の受話部と第２の表示部とをそなえてなることを特徴とする携帯型通信装置。
【０２４０】
（付記４）  操作部ならびに送話部をそなえた第１の本体部と表示部ならびに受話部をそなえた第２の本体部とがそれぞれの一端部で開閉可能に連結され操作部および表示部が対向状態に折り畳まれる折り畳み式の携帯型通信装置であって、
折り畳まれた状態において第１の本体部の先端部側に第２の本体部の先端部と対向する段部が設けられてなり、該段部内から弾性付与されて突出される係合突起が第２の本体部の先端部に設けられた係合穴に嵌まり込み第２の本体部の開放を阻止させるとともに係合突起の突出状態を弾性に抗して段部内に退避させる解放用の押しボタンを第１の本体部の一方の側面ないしは両側面に設けたことを特徴とする携帯型通信装置。
【０２４１】
（付記５）  操作部ならびに送話部をそなえた第１の本体部と表示部ならびに受話部をそなえた第２の本体部とがそれぞれの一端部で開閉可能に連結され操作部および表示部が対向状態に折り畳まれる折り畳み式の携帯型通信装置であって、
折り畳まれた状態において第１の本体部の先端部側に第２の本体部の先端部と対向する段部が設けられてなり、該段部内から弾性付与されて突出される係合突起が第２の本体部の先端部に設けられた係合穴に嵌まり込み第２の本体部の開放を阻止させるとともに係合突起の突出状態を弾性に抗して段部内に退避させる解放用の押しボタンを第１の本体部の側面と段部面とに設けたことを特徴とする携帯型通信装置。
【０２４２】
（付記６）  上記第１の本体部と第２の本体部との連結部には第２の本体部を解放させる解放方向への弾性手段が設けられてなることを特徴とする付記４または５に記載の携帯型通信装置。
【０２４３】
（付記７）  操作部ならびに送話部をそなえた第１の本体部と表示部ならびに受話部をそなえた第２の本体部とがそれぞれの一端部で開閉可能に連結され操作部および表示部が対向状態に折り畳まれる折り畳み式の携帯型通信装置であって、
第１の本体部と第２の本体部とは連結部を含んで内部構造が金属フレームによって支持構成され、その外側が合成樹脂成型になる枠体によって挟着形成されてなることを特徴とする付記１ないし６いずれかに記載の携帯型通信装置。
【０２４４】
（付記８）  第１の本体部の側面外部に露出する押しボタンと段部の壁面を貫通して先端部が突出される係合突起とが段部内で結合されてなる可動部と、上記押しボタンと係合突起とをそれぞれ外部方向に付勢させるばねと、からなり、押しボタンを押し込むことによって係合突起が段部との相互の傾斜面に沿って段部内の退避位置となる支持手段を設けたことを特徴とする付記４に記載の携帯型通信装置。
【０２４５】
（付記９）  第１の本体部の側面外部に露出する押しボタンと段部の壁面を貫通して先端部が突出される係合突起とが段部内で結合されてなる可動部と、上記押しボタンと係合突起とをそれぞれに外部方向に付勢させるばねと、上記係合突起を押圧することにより係合突起が段部内の退避位置となるよう段部面に露出させるようにして設けた押しボタンと、からなり、上記可動部の押しボタンを押し込むことによって係合突起が段部との相互の傾斜面に沿って段部内の退避位置となる支持手段を設けたことを特徴とする付記４に記載の携帯型通信装置。
【０２４６】
（付記１０）  第１の本体部の一方の側面外部に露出する第１の押しボタンと段部の壁面を貫通して先端部が突出される係合突起とが段部内で結合されてなる第１の可動部と、上記第１の押しボタンと係合突起とをそれぞれに外部方向に付勢させるばねと、第１の本体部の他方の側面外部に露出する第２の押しボタンと段部の内壁面に接するとともに第１の可動部の係合突起と傾斜面によって接する摺動部とが段部内で結合されてなる第２の可動部と、上記第２の押しボタンを外部方向に付勢させるばねと、からなり、上記第１の押しボタンを押し込むことによって係合突起が段部との相互の傾斜面に沿って段部内の退避位置となり、第２の押しボタンを押し込むことによって摺動部が係合突起方向に進出して傾斜面によって係合突起を段部内の退避位置となる支持手段を設けたことを特徴とする付記５に記載の携帯型通信装置。
【０２４７】
（付記１１）  円筒形状のハウジングと、ハウジングの開放側端部を閉塞するとともに回動可能に結合されるキヤップと、ハウジングの内部に収容されて両端部がハウジングとキヤップとに係合されるねじりコイルばねと、ハウジングの内部に充填され合成樹脂からなるダンパ用の液状樹脂と、をそなえてなることを特徴とするヒンジ。
【０２４８】
（付記１２）  周囲外面に嵌合する軸孔に対して不回転状態とする係合部を有する円筒形状のハウジングと、周囲外面に嵌合する軸孔に対して不回転状態とする係合部を有し上記ハウジングの開放側端部を閉塞するとともに回動可能に結合されるキヤップと、ハウジングの内部に収容されて両端部がハウジングとキヤップとに係合されるねじりコイルばねと、ハウジングの内部に充填され合成樹脂からなるダンパ用の液状樹脂と、をそなえてなること特徴とするヒンジ。
【産業上の利用可能性】
【０２４９】
本発明は、特に、折り畳み式携帯電話機など、とりわけ情報表示機能を有する装置において、卓上などに折り畳まれて置かれた状態での各種機能の使用に対応でき、その利便性に寄与するところが大きい。
【図面の簡単な説明】
【０２５０】
【図１】本発明に係る携帯電話機の第１の一実施形態の外観図である。
【図２】図１の斜視図である。
【図３】図１の折り畳まれた状態である。
【図４】図３の斜視図である。
【図５】図３の状態の内部構成図である。
【図６】外部ケースを分離させた状態の斜視図である。
【図７】本発明に係る携帯電話機の第２の一実施形態の外観図である。
【図８】図７の斜視図である。
【図９】図７の折り畳まれた状態である。
【図１０】図９の斜視図である。
【図１１】図９（ｂ）の側断面図である。
【図１２】図７（ｂ）の側断面図である。
【図１３】外部ケースを分離させた状態の斜視図である。
【図１４】本発明に係る携帯電話機の第３の一実施形態の外観図である。
【図１５】図１４の斜視図である。
【図１６】図１４の折り畳まれた状態である。
【図１７】図１６の斜視図である。
【図１８】図１７の状態の内部構成図である。
【図１９】図１４の要部断面の拡大図である。
【図２０】外部ケースを分離させた状態の斜視図である。
【図２１】支持手段の構成と作用の説明図（その１）である。
【図２２】支持手段の構成と作用の説明図（その２）である。
【図２３】ねじりコイルばねの側断面図と端面図である。
【図２４】ハウジングの側断面図と端面図である。
【図２５】キヤップの側断面図と端面図および平面図である。
【図２６】軸の外形図である。
【図２７】ヒンジの組み立て図である。
【図２８】ヒンジを連結部に組み込む説明（その１）である。
【図２９】ヒンジを連結部に組み込む説明（その２）である。
【図３０】本発明に係る携帯電話機の第４の一実施形態の外観図である。
【図３１】図３０の斜視図である。
【図３２】図３０の折り畳まれた状態である。
【図３３】図３２の斜視図である。
【図３４】図３０の要部断面の拡大図である。
【図３５】支持手段の構成と作用の説明図（その１）である。
【図３６】第２の解放用押しボタンの斜視図である。
【図３７】支持手段の構成と作用の説明図（その２）である。
【図３８】支持手段の構成と作用の説明図（その３）である。
【図３９】本発明携帯電話機の第５の一実施形態に係る支持手段である。
【図４０】図３９の内部構成を示す断面図である。
【図４１】図３９を背面側から示し構成および作用を説明する図（その１）である。
【図４２】図３９を背面側から示し構成および作用を説明する図（その２）である。
【図４３】図４０のＡ−Ａ矢視ならびにＢ−Ｂ矢視断面図である。
【図４４】図３９を背面側から示し構成および作用を説明する図（その３）である。
【図４５】図３９を背面側から示し構成および作用を説明する図（その４）である。
【符号の説明】
【０２５１】
１    第２の本体部
２    アンテナ
３    第１の受話部
４    第１の表示部
５    第１の本体部
６    操作部
７    送話部
８    押しボタンスイッチ
９    コネクタ
１１    二次電池
１２    連結部
１５    第２の表示部
１６    第２の受話部
１７    押しボタンスイッチ
１８、１９    枠状のフレーム、フレーム
２１、２２    プリント配線板
２５    第２の液晶表示パネル
２６    第２のスピーカ
２７    押しボタンスイッチ
２８    マイクロホン
２９    押しボタンスイッチ
３１    コネクタ
３２    貫通孔
３５    第１のスピーカ
３６    第１の液晶表示パネル
３７    押しボタン
３８    フレキシブルプリント配線板
４１    正面側ケース
４２    背面側ケース
４３、４４、４５    孔
４６    突起
４７    覆い半体
５１    結合用のねじ
５２    ねじ挿入用突起
５３    電池収容部
５４    切り欠き
５５    覆い半体
５６    蓋
６１    正面側ケース
６２    背面側ケース
６３    孔
６４    透明窓
６５    覆い半体
６６    結合用のねじ
６７    ねじ挿入用孔
６８    突起
６９、７１    孔
７２    透明窓
７３    覆い半体
７５    埋め込み栓
８１    段部
８５    支持手段
８６    先端面
８７    係合穴
８８    係合突起
８９    壁面
９１    押しボタン
９２    板状の腕
９３    可動部
９４    軸部
９５    ねじりコイルばね
９６    コイル部
９７    第１の端部
９８    係合突起
９９    第２の端部
１０１    嵌合部
１０２    鍔部
１０３    第１のばね受け部
１０４    第１の傾斜面
１０５    孔
１０６    傾斜面
１０７    第２のばね受け部
１０８    第２の傾斜面
１１５    ねじりコイルばね
１１６、１１７    端部
１１８    ハウジング
１１９    凹穴
１２１    軸孔
１２２    角孔
１２３    凸条、セレーション
１２４    基準部分
１２５    キヤップ
１２６    円形の本体部
１２７    キー
１２８    段付き凸部
１２９    軸孔
１３１    凹部
１３２    角孔
１３３    軸
１３４    軸本体
１３５    鍔部
１３８    ヒンジ、軸型ヒンジ
１３９    リング状の板ばね
１４１、１４２、１４３    軸受け
１４４    凸条、セレーション
１４５、１４６    軸受け
１４７    キー溝
１４８    凹部
１４９    軸
１５１    支持手段
１５２    係合突起
１５３    第１の解放用押しボタン
１５４    第２の解放用押しボタン
１５５    板状の腕
１５６    可動部
１５７    鍔部
１５８    第１のばね受け部
１５９    第１の傾斜面
１６１    第２のばね受け部
１６５    押しボタン収容凹所
１６６    圧縮コイルばね
１６７    押しボタン本体部
１６８    脚部
１６９    鉤状の突起                                                    
１７１    第２の傾斜面
１７２    端部
１７３    第３の傾斜面
１８１    支持手段
１８２    係合突起
１８３    第１の解放用押しボタン
１８４    第２の解放用押しボタン
１８５    第１の板状の腕
１８６    第１の可動部
１８７    第２の板状の腕
１８８    摺動部
１８９    第２の可動部
１９１    軸部
１９２    ねじりコイルばね
１９３    コイル部
１９４    第１の端部
１９５    環状壁面
１９６    第２の端部
２０１    第１の傾斜面
２０２    第２の傾斜面
２０３    第３の傾斜面
２０４    ばね受け部
２０５    摺動面
２０６    傾斜面
２０７    垂直面
２１１、２１２    案内部
２１３    支持部材
【図１】
2007006510.tif 000003
【図２】
2007006510.tif 000004
【図３】
2007006510.tif 000005
【図４】
2007006510.tif 000006
【図５】
2007006510.tif 000007
【図６】
2007006510.tif 000008
【図７】
2007006510.tif 000009
【図８】
2007006510.tif 000010
【図９】
2007006510.tif 000011
【図１０】
2007006510.tif 000012
【図１１】
2007006510.tif 000013
【図１２】
2007006510.tif 000014
【図１３】
2007006510.tif 000015
【図１４】
2007006510.tif 000016
【図１５】
2007006510.tif 000017
【図１６】
2007006510.tif 000018
【図１７】
2007006510.tif 000019
【図１８】
2007006510.tif 000020
【図１９】
2007006510.tif 000021
【図２０】
2007006510.tif 000022
【図２１】
2007006510.tif 000023
【図２２】
2007006510.tif 000024
【図２３】
2007006510.tif 000025
【図２４】
2007006510.tif 000026
【図２５】
2007006510.tif 000027
【図２６】
2007006510.tif 000028
【図２７】
2007006510.tif 000029
【図２８】
2007006510.tif 000030
【図２９】
2007006510.tif 000031
【図３０】
2007006510.tif 000032
【図３１】
2007006510.tif 000033
【図３２】
2007006510.tif 000034
【図３３】
2007006510.tif 000035
【図３４】
2007006510.tif 000036
【図３５】
2007006510.tif 000037
【図３６】
2007006510.tif 000038
【図３７】
2007006510.tif 000039
【図３８】
2007006510.tif 000040
【図３９】
2007006510.tif 000041
【図４０】
2007006510.tif 000042
【図４１】
2007006510.tif 000043
【図４２】
2007006510.tif 000044
【図４３】
2007006510.tif 000045
【図４４】
2007006510.tif 000046
【図４５】
2007006510.tif 000047